(57)【要約】【課題】空気調和機の室内機の清掃または修理の時の可動又は脱着可能な部品の可動又は脱着方法をユーザーに分かり易く示して、誤操作を未然に防止する。【解決手段】可動又は脱着可能な部品は空気調和機の室内機本体に収容され、この可動又は脱着可能な部品の近傍に金型加工によって製造された台座と、を備え、台座の形状は、室内機本体の清掃、修理時における可動または脱着可能な部品の解体・取付けの作業手順、方法を表示する記号であり、この記号の側壁の抜き勾配は一般のものよりは大きい値を有する。【選択図】図６
2011112326.tif 000002
【特許請求の範囲】
【請求項１】
空気調和機の室内機本体と、
この室内機本体に収容される可動又は脱着可能な部品と、
この可動又は脱着可能な部品の近傍に配置され、金型加工によって製造された台座と、を備え、
前記台座の形状は、前記室内機本体の清掃、修理時における前記可動または脱着可能な部品の解体・取付けの作業手順、方法を表示する記号を含み、前記記号の側壁の抜き勾配は特定の値を有することを特徴とする空気調和機の室内機。
【請求項２】
前記記号の目立たせたい部位の抜き勾配は他の部位よりも大きく設定されることを特徴とする請求項１に記載の空気調和機の室内機。
【請求項３】
前記記号の側壁の根本に溝を形成したことを特徴とする請求項１または請求項２に記載の空気調和機の室内機。
【請求項４】
前記記号は可動又は脱着方向などの作業方法を示した矢印であることを特徴とする請求項１〜３のいずれかに記載の空気調和機の室内機。
【請求項５】
前記記号は前記可動又は脱着な部品の作業手順を表す数字などの記号であることを特徴とする請求項１〜３のいずれかに記載の空気調和機の室内機。
【発明の詳細な説明】
【技術分野】
【０００１】
この発明は、空気調和機の室内機に関するものであり、特に空気調和機の室内機の清掃または修理の時の可動又は脱着可能な部品の可動又は脱着方法の表示に関する。
【背景技術】
【０００２】
従来、可動または着脱可能な部品の作業（可動又は脱着）方法を指示する為の表示の一例である方向の表示については線状の記号（矢印）を可動または着脱可能な部品の近傍の表面の一部に単純な凸刻印又は凹刻印のみで行なっていた（例えば、特許文献１参照）。
【先行技術文献】
【特許文献】
【０００３】
【特許文献１】特開２００２−８９８７４号公報（第２頁〜第３頁、図１）
【発明の概要】
【発明が解決しようとする課題】
【０００４】
特許文献１に記載の従来技術では、上記のように可動又は脱着可能な部品の可動又は脱着方法の表示は線状の記号（矢印）を単純な凸刻印又は凹刻印のみで表示していた為、空気調和機の室内機の清掃または修理の時に、ユーザーがこの記号を認識し難いという課題があった。これにより、誤操作を招く虞があった。
【０００５】
この発明は、上記のような課題を解決するためになされたもので、第１の目的は空気調和機の室内機の清掃または修理の時の可動又は脱着可能な部品の可動又は脱着方法をユーザーに分かり易く示して、誤操作を未然に防止する事にある。
【課題を解決するための手段】
【０００６】
この発明に係る空気調和機の室内機は、空気調和機の室内機本体と、この室内機本体に収容される可動又は脱着可能な部品と、この可動又は脱着可能な部品の近傍に配置され、金型加工によって製造された台座と、を備え、台座の形状は、室内機本体の清掃、修理時における可動または脱着可能な部品の解体・取付けの作業手順、方法を表示する記号を含み、記号の側壁の抜き勾配は特定の値を有するものである。
【発明の効果】
【０００７】
この発明によれば、空気調和機の室内機の可動又は脱着可能な部品の近傍に配置され、金型加工によって作業手順、方法等を表示する記号が形成された側壁の抜き勾配を有するので、ユーザーの視点から容易に確認し易いという効果を有する。
【図面の簡単な説明】
【０００８】
【図１】この発明の実施の形態１における空気調和機の室内機の外観を示す斜視図である。
【図２】この発明の実施の形態１における空気調和機の室内機の断面図である。
【図３】この発明の実施の形態１におけるユーザーの視線方向から見た空気調和機の室内機の外観図である。
【図４】この発明の実施の形態１における空気調和機の室内機可動部品の可動後の図である。
【図５】この発明の実施の形態１におけるユーザーの視線方向から見た可動部品操作部拡大図である。
【図６】図５に示す可動部品の近傍の台座に表示された作業方法を表す記号の詳細図である。
【発明を実施するための形態】
【０００９】
実施の形態１．
図１はこの発明の実施の形態１における空気調和機の室内機の外観を示す斜視図、図２は図１の空気調和機の室内機の断面図である。
図において、空気調和機の室内機本体１は、前面から上部に至るまで配置され、吸込み口２を有する前面パネル３と、背面側の壁面に取り付けられた据付け板４と係合する背面部５と、側面部６と、前面パネル３と背面部５と、側面部６によって構成される筐体の内部に設けられ、回転により空気を吸引する送風機７と、送風機７を逆Ｖ字形で覆うように設けられた熱交換器８と、前面パネル３と熱交換器８との間に設けられ空気中の塵埃を除去するフィルター９と、背面部５の一部を構成し、送風機７との間で風路１０を形成する風路部品１１と、熱交換器８の下部で風路１０の吹出し口１２に設けられたドレンパン１３と、ドレンパン１３の下部の吹出し口１２に設けられた２つの上下風向板１４と、左右風向板１５と、から構成される。
また、可動部品１６は、吹出し口１２に設けられた左右風向板１５と、ドレンパン１３に取り付けられ、左右風向板１５を軸支する軸１７と、ドレンパン１３と軸１７との間に介在する台座１８とから構成されている。ユーザーの視線方向１９は図２の矢印で示される方向である。台座１８の一端は室内機本体１に軸支されており、他端は開放されている。
【００１０】
次に、空気の流れについて簡単に説明する。送風機７の吸引力により前面パネル３の前方または上部の吸込み口２から吸込まれた空気はフィルター９によって塵埃を除去された後、熱交換器８を通過する際に、熱交換器８内を流れる冷媒と熱交換が行われる。その後、送風機７の回転により、風路１０を経由して、吹出し口１２から外部に送り出される。
【００１１】
次に、可動部品について説明する。
図３はユーザーの視線方向から見た空気調和機の室内機の外観図であり、図４は可動部品の可動後の図である。図において、上下風向板１４は可動部品１６を図示し易くするために省略してある。また、図５はユーザーの視線方向から見た可動部品操作部拡大図である。
図４に示すように、ユーザーは、ユーザーの視線方向１９から可動部品１６の可動部品操作部２０に手を伸ばして指で挟んでユーザー側へ引くと、左右の可動部品１６は一端に軸支された軸（図示せず）を中心に回転することでユーザー側へ引き出される。
ユーザーは、可動部品１６の清掃または修理を行う場合には、図５の台座１８に表示された矢印を見ることにより作業方向を認識した上で、可動部品操作部２０に指（通常人差し指と親指）を入れて図５の台座を通常親指と人差し指で挟んで図５の矢印の方向（図１の矢印Ａで示す前方斜め下方）へ引っ張ることにより可動部品１６を最大９０度まで回転させながらユーザー側へ引き出すことが可能である。
図６は図５に示す可動部品の近傍の台座１８に表示された作業方法を表す記号（可動部品操作部表示２１）の詳細図であり、この場合の記号は清掃や修理を行うための可動部品１６の引出し方向を表す矢印である。図６において、ユーザーの視線方向１９は紙面と垂直な面における上方手前から下方奥へ向かう方向である。
【００１２】
次に本実施の形態の構造について説明する。
図６に示すように金型加工によって記号を生成した場合、この記号の形が構成する複数の側壁の内、ユーザーの視線と交差し、かつ視線と対向しない側壁２２の傾斜角度（抜き勾配）をそれ以外の側壁より大きくなるように構成した。また、ユーザーの視線と交差し、かつ視線と対向しない側壁２２の根本に溝２３を作った。
具体例で示す。金型加工によって矢印の記号をかたどった場合、図６に示すようにユーザーの視線方向１９から見た場合、この矢印先端部の三角形の先端側の２辺と矢印の根本の長方形の長手方向の２辺を構成する２辺の抜き勾配を一般の射出成形品のそれよりも大きくした。金型加工では抜き勾配として１度前後を採用することが多いが、ここではそれより大きい例えば１０度とした。
これにより、台座１８の表面と凹部刻印の底部との水平方向の距離を大きくとることができ、ユーザーからは台座１８の表面に構成された辺と底部に構成された辺とが見え、まるで、矢印がさらに別の線で囲まれているように見える。さらにこの側壁１６の根本に溝２３を作ることで記号を２重線や３重線などで囲まれているように見せることも可能であり、視認性が更に向上する。また、側壁１６の勾配を途中で変えることにより、同様の効果を奏することも可能である。従来の単純な凸刻印又は凹刻印のみでは矢印などの記号が他の線で囲まれることがなく、ユーザーにとっては非常に見難かったが、本実施の形態では、上記のように構成することにより、可動部品操作部表示２１の存在自体を意識し易くし、操作方向がはっきりと認識する事が出来る。従って、ユーザーによる誤操作を未然に防止できる。
記号の一部を目立たせたい場合、目立たせたい部位の抜き勾配を他の部位よりも大きく設定することにより実現可能である。
【００１３】
なお、上記の例では、可動部品を例に挙げて説明したが、着脱可能部品についても同様であり、同様の効果が得られる。
また、上記の例では記号は作業方向について説明したが、作業内容は方向だけに限る必要はない。例えば、記号として数字を用いて作業手順を示しても良い。
また、上記の例では、記号を室内機に設ける場合について説明したが、室外機に設けても良い。
【符号の説明】
【００１４】
１  空気調和機の室内機、２  吸込み口、３  前面パネル、４  据付板、５  背面部、６  側面部、７  送風機、８  熱交換器、９  フィルター、１０  風路、１１  風路部品、１２  吹出し口、１３  ドレンパン、１４  上下風向板、１５  左右風向板、１６  可動部品、１７  軸、１８  台座、１９  ユーザーの視線方向、２０  可動部品操作部、２１  可動部品操作部表示、２２  ユーザーの視線と交差し、かつ視線と対向しない側壁、２３  溝。
【図１】
2011112326.tif 000003
【図２】
2011112326.tif 000004
【図３】
2011112326.tif 000005
【図４】
2011112326.tif 000006
【図５】
2011112326.tif 000007
【図６】
2011112326.tif 000008